(57)【要約】【課題】  浴室の壁面の色に応じて反射板の設置を選択できて、良好に洗い場等の明るさを確保することのできる浴室照明装置を提供する。【解決手段】  光源がグローブ５で覆われて浴室の壁面１に固定される照明装置２において、正面視においてグローブ５の外周より外側に張り出し壁面１の色合いよりも淡色系の色合いの反射板９を、照明装置２と壁面１との間に設けて構成する。【選択図】  図６
2007042461.tif 000002
【特許請求の範囲】
【請求項１】
光源がグローブで覆われて浴室の壁面に固定される照明装置において、正面視において前記グローブの外周より外側に張り出し壁面の色合いよりも淡色系の色合いの反射板を、前記照明装置と前記壁面との間に設けたことを特徴とする浴室照明装置。
【請求項２】
前記反射板が、略斜め下向きに光を反射可能な平面状または曲面状の反射面を備えていることを特徴とする請求項１に記載の浴室照明装置。
【発明の詳細な説明】
【技術分野】
【０００１】
本発明は、浴室の壁面に固定される浴室照明装置に関するものである。
【背景技術】
【０００２】
従来、特許文献１に開示されているような浴室照明装置が存在し、この浴室照明装置は、前面部が光を強く拡散させる着色部であり、側面部が透明部であり、照明装置内部には、下方向に光を反射する反射板が設けられている。
【特許文献１】特許第２９３７０９３号公報
【発明の開示】
【発明が解決しようとする課題】
【０００３】
上記従来の照明装置では、内部に下向きに反射板が設けられているが、浴室の壁や天井の色が白色などの場合には、壁や天井での光の反射によって十分に洗い場を明るく照らすことができるため、内部に反射板を設けることは不必要であり、構造が複雑で高価なものになってしまうという問題点があった。
【課題を解決するための手段】
【０００４】
本発明は上記従来の問題点に鑑み案出したものであって、無駄なコストが掛からず、壁の色に応じて設置を選択できて、光の反射が十分に確保できる浴室照明装置を提供せんとするものであり、その請求項１は、光源がグローブで覆われて浴室の壁面に固定される照明装置において、正面視において前記グローブの外周より外側に張り出し壁面の色合いよりも淡色系の色合いの反射板を、前記照明装置と前記壁面との間に設けたことである。
【０００５】
また、請求項２は、前記反射板が、略斜め下向きに光を反射可能な平面状または曲面状の反射面を備えていることである。
【発明の効果】
【０００６】
本発明は、光源がグローブで覆われて浴室の壁面に固定される照明装置において、正面視において前記グローブの外周より外側に張り出し壁面の色合いよりも淡色系の色合いの反射板を、前記照明装置と前記壁面との間に設けたことにより、浴室壁面が暗色系の場合でも、照明装置の光のエネルギーを反射板で反射させて浴室を明るくすることができ、浴室の壁の色に応じて反射板の設置を選択できるため、無駄なコストが掛からないものとなる。
【０００７】
また、反射板が、略斜め下向きに光を反射可能な平面状または曲面状の反射面を備えていることにより、明るくしたい洗い場などに光を向けることができ、反射板は浴室の壁面が暗色系の場合などに選択して後付けすることができ、壁の色が白い場合等、光の反射が十分に確保できる場合は、反射板を使う必要がなく、内部に反射板の存在しない通常の照明装置を使用できるものとなる。
【実施例】
【０００８】
以下、本発明の実施例を図面に基づいて説明する。
図１は、第１実施例の浴室照明装置の取付状態の一部破断側面構成図であり、図２は、図１の照明装置の構成部材の分解斜視図である。
【０００９】
浴室の壁面１には、照明装置を取り付ける位置に貫通孔１ａが貫通形成され、その側方にはプラグ孔１ｂ，１ｂが形成されている。
照明装置２は、ソケット３ａを備えた台座３を有し、この台座３のソケット３ａに白熱灯などの光源４をねじ込んで取り付けることができ、また、台座３の外周のネジにグローブ５をねじ込むことで、台座３にグローブ５を取り付けて、グローブ５で光源４を覆うことができるように構成されている。
【００１０】
壁面１の裏側から貫通孔１ａを通してケーブル６を引き出し、このケーブル６は台座３のソケット３ａに接続されるものであり、壁面１のプラグ孔１ｂ，１ｂにそれぞれプラグ７，７を打ち込んでおき、ネジ８を台座３に通してプラグ７にねじ込むことで、台座３を壁面１に固定できるものである。
【００１１】
本例では、台座３と壁面１間に反射板９を取り付けるものであり、反射板９は、中央の凹み状の取付部９ａに、ケーブル６を通すケーブル孔９ｂと、その側方にネジ８を通す通し孔９ｃ，９ｃが形成されており、取付部９ａの外周には、例えば白色の反射面９ｄがリング状に形成されている。この反射面９ｄはグローブ５の外周よりも外側に配置されるものであり、反射板９はグローブ５よりも大面積の円盤状に形成されたものである。
【００１２】
図１に示すように、台座３と反射板９の取付部9ａ間にはパッキン１０を介在させ、また、反射板９と壁面１間にもパッキン１１を介在させて、ネジ８をプラグ７に締め付けることで、台座３と壁面１間に反射板９を強固に挟み付けて、照明装置２を壁面１に固定状に取り付けることができるものである。
【００１３】
このような反射板９を設けた照明装置２においては、グローブ５から照射された光は反射板９の反射面９ｄで反射され、浴室内を明るく照らすことができるものとなる。
特に、壁面１が暗色系の色である場合に、従来では壁面１で光のエネルギーが吸収されて反射させることができなかったものが、この反射板９を設けることにより光のエネルギーを良好に反射板９で反射させて、浴室内を明るく照らすことができるものとなる。
なお、反射板９の反射面９ｄの面積が大であれば、より光のエネルギーを大量に反射させることができるものである。
【００１４】
次に、図３および図４では、形状の違う照明装置の構成部材と取付状態を示す。
図３および図４では、グローブ５が横長状のものであり、このグローブ５は、台座３の内周に形成されたネジにねじ込んで台座３に固定できるように構成されたものである。
なお、台座にはソケット３ａが突出形成され、このソケット３ａには光源４をねじ込んで取り付けできるものである。その他、ネジ８，プラグ７は同様なものである。
【００１５】
本例では、反射板９は、台座３が当接状に固定される取付部９ａは円柱状に形成されており、この取付部９ａの外周に形成されている反射面９ｄは、上部が浴室内側へ大きく突出し、下方側に向かって湾曲状に突出量を減らして傾斜した下向き湾曲傾斜状の反射面９ｄとなっており、このような反射面９ｄを備えた反射板９を用いることにより、グローブ５からの光を反射面９ｄで下向きに光を集めて反射させることができるものとなる。
【００１６】
なお、このように下向きに光を反射できる反射板９として、例えば図５に示すような形状のものを用いることもでき、図５では、円状の取付部９ａの外周に形成されている反射面９ｄは、上端側から下端側に向かって下傾した平面状に形成されており、反射面９ｄはグローブ５からの光を下向きに反射させることができ、図６のように、反射板９で光を下向きに反射させることで、洗い場に光を多く集めて洗い場を明るく照らすことができるものとなる。
【００１７】
なお、図１〜図５に示すような反射板は、壁面１が淡色系の色合いである場合には使用せずに、図７に示すように、反射板９のない通常の照明装置２を壁面１に固定して取り付けておくことができ、淡色系の壁面１で良好にグローブ５からの光が反射されて洗い場等が明るく照らされるものである。
なお、図６および図７において、１２は鏡であり、１３は水栓であり、１４はカウンターである。
【００１８】
このように本例では、壁面１の色合いに応じて反射板９の設置を選択することができ、必要に応じ反射板９を取り付けて、光の反射で洗い場等の明るさを確保できるように構成することができ、無駄なコストが掛からないものとなる。
即ち、従来のような内部に反射板を予め備えている照明装置では、暗色系の壁面を有する浴室には有効であるが、淡色系の壁面を有する浴室では必要がないため、従来では浴室に対応させて、内部に反射板を備えた照明装置と、反射板を有しない通常の照明装置の両方を用意しておく必要があったが、本発明では、必要に応じ反射板を通常の照明装置に取り付けて設置できるため、通常の照明装置のみを用意しておけば良く、無駄なコストが掛からないものとなる。
【図面の簡単な説明】
【００１９】
【図１】第１実施例の照明装置の取付状態の一部破断側面構成図である。
【図２】図１の照明装置の構成部材の分解斜視図である。
【図３】第２実施例の照明装置の設置状態の一部破断側面構成図である。
【図４】図３の照明装置の構成部材の分解斜視図である。
【図５】形状の異なる反射板の斜視構成図である。
【図６】図５の反射板を浴室の壁面に設置した状態の浴室側面構成図である。
【図７】通常の照明装置を取り付けた場合の浴室の側面構成図である。
【符号の説明】
【００２０】
１  壁面
１ａ  貫通孔
１ｂ  プラグ孔
２  照明装置
３  台座
３ａ  ソケット
４  光源
５  グローブ
６  ケーブル
７  プラグ
８  ネジ
９  反射板
９ａ  取付部
９ｄ  反射面
１０，１１  パッキン
【図１】
2007042461.tif 000003
【図２】
2007042461.tif 000004
【図３】
2007042461.tif 000005
【図４】
2007042461.tif 000006
【図５】
2007042461.tif 000007
【図６】
2007042461.tif 000008
【図７】
2007042461.tif 000009